(57)【要約】【課題】  既設の床の上に電線、通信回線、電熱線、温熱配管などを配線配管したり、温風を通すために既存床と生活上の床の間に通線、通風空間を設けるための二重床の構造を提供する。【解決手段】  複数個の直方体の底部を直方体より薄い厚さの軟体プレートで隙間なく接続して一体化する。直方体の側面と軟体プレートで配線用の溝が構成される。軟体プレートで接続された二重床ユニットを床の上に複数個敷き並べる。周辺部を接続ピンで嵌合接続して二重床を構成する。溝部の上に溝蓋を載せて生活上の床を既存の床の上に構成する。【選択図】    図１
2005030177.tif 000002
【特許請求の範囲】
【請求項１】
複数個の直方体の底部を直方体より薄い厚さの軟体プレートで隙間なく接続して一体化して配線用の溝を構成した二重床ユニットを床の上に複数個敷き並べ、周辺部を接続ピンで嵌合接続した後、溝部の上に溝蓋を載せてなることを特徴とした置き敷き型二重床構造。
【請求項２】
複数個の厚さ２０から５０ｍｍ、１辺の長さが２０から２５０ｍｍの直方体の底部を厚さ０．１から５ｍｍの軟体プレートで隙間なく接続して一体化して配線用の溝を構成し、直方体の上表面に溝部に面して表面から１から１０ｍｍの深さで幅５から２０ｍｍの蓋段差が設けてある二重床ユニットを床の上に複数個敷き並べ、周辺部を接続ピンで嵌合接続した後、溝部に１から１０ｍｍの厚さで幅２０から１００ｍｍ溝蓋を蓋段差に嵌合させてなることを特徴とした置き敷き型二重床構造。
【請求項３】
請求項２の二重床ユニットにおいて接続する直方体の数を２個としたもの、４個としたもの、及び直方体本体を配線量に合わせて組み合わせて床の上に置き敷きし、周辺部を接続ピンで嵌合接続した後、溝部に１から１０ｍｍの厚さで幅２０から１００ｍｍ溝蓋を載せてなることを特徴とした置き敷き型二重床構造。
【発明の詳細な説明】
【発明の詳細な説明】
【技術分野】
【０００１】  この発明は、既設の床の上に電線、通信回線、電熱線、温熱配管などを配線配管したり、温風を通すために既存床と生活上の床の間に通線、通風空間を設けるための二重床の構造に関するものである。
【背景技術】
【０００２】  近年、事務所などにおいては、ＯＡ機器が急増しており、それにともない配線ケーブルなどが配線される電線の数も多くなっている。一方住宅などでも床暖房が普及してきており改修工事などで既存床面の上に電熱線や温熱配管を設置するケースがでてきており床面上に各種配線、配管が這うことになる。一方、温風を床下に通すなどの暖房床も考案されている。従来より歩行生活に困難をきたさないように既存床面の上に支持足を持つフロアパネルを置き敷きして、パネルと既存床面の間に配線、配管空間をもたせるようにした技術はあった。従来のフロアパネルは支持足の上に床プレートを置いたもの、あるいは支持足と床プレートが一体のものがあった。図８は床面の上に配線空間を持つ二重床フロアパネルの斜視図である。
【発明が解決しようとする課題】
【０００３】  従来の技術には次のような欠点があった。
イ．支持足の上にプレートを置く形式のため、人の歩行時に支持足と床が反発して騒音を発生する。
ロ．配線をやり直す時、床パネルを剥がさなければならず、手間どる。
ハ．二重床ユニットパネルの形状が一定であり、配線量の調整ができない。
ニ．パネルの大きさが該５００×５００と大きく、床の不陸に対応できず、人の歩行時に騒音を発生させやすい。
ホ．大きなサイズのパネルでは床周辺部で壁との接点で加工ロスが大きく不経済である。
ヘ．床と配線が直接触れ合うことで、熱線や温熱配管の熱が床に伝導して熱ロスが大きく床暖房の効果がない。又、不経済である。
ト．配線溝の底部に隙間が設けてあり温風などを通そうとすると、熱が漏れてしまう。
本発明はこれらの欠点を解決するために発明されたものである。
【課題を解決するための手段】
【０００４】  本発明者は上記のような実状に鑑み、鋭意検討の結果、以下に記載するような発明をなすに至ったものである。
複数個の直方体の底部を直方体より薄い厚さの軟体プレートで隙間なく接続して一体化する。直方体の側面と軟体プレートで配線用の溝が構成される。軟体プレートで接続された二重床ユニットを床の上に複数個敷き並べる。周辺部を接続ピンで嵌合接続して二重床を構成する。溝部の上に溝蓋を載せて生活上の床を既存の床の上に構成する。
直方体は厚さ２０から５０ｍｍ、１辺の長さが２０から２５０ｍｍの直方体として、底部を０．１から５ｍｍ厚さの軟体プレートで接続して一辺が該２５０ｍｍ以下の小さい二重床ユニットを構成する。直方体の側面と軟体プレートで配線用の溝が構成される。直方体の上表面には溝部に面して表面から１から１０ｍｍの深さで幅５から２０ｍｍの蓋段差を設ける。軟体プレートで接続され一体化された二重床ユニットを床の上に複数個敷き並べる。周辺部を接続ピンで嵌合接続して二重床を構成する。溝部の上に蓋段差に嵌合するように１から１０ｍｍの厚さで幅２０から１００ｍｍ溝蓋を載せて生活上の床を既存の床の上に構成する。
直方体を軟体プレートで接続してなる二重床ユニットにおいて、接続する直方体の数を２個としたもの、４個としたもの、及び直方体本体を配線量に合わせて組み合わせて床の上に置き敷きし、周辺部を接続ピンで嵌合接続した後、溝部に１から１０ｍｍの厚さで幅２０から１００ｍｍ溝蓋を載せて生活上の床を既存の床の上に構成する。
【発明を実施するための最良の形態】
【０００５】  以下、本発明を詳細に説明する。
図１は本発明の直方体４個の底部を軟体プレートで接続した二重床ユニットの斜視図であり、直方体１は高さが該３３ｍｍ、幅と奥行きは該４０ｍｍの直方体とし、材質はプラスチックで成形されている。プラスチックはポリプロピレンや塩化ビニールでよく、ウレタンでも可能である。直方体１は軽量化の為に内部を空洞にしてある。図１では直方体１を４個、等間隔離して四角形の４隅に配置し、その底部を直方体１と同材質の軟体プレート８で隙間無く接続し一体化して二重床ユニットを構成している。軟体プレートの厚みは該１ｍｍであり、自由に変形可能であり床の不陸に追随できる。直方体１の側面と底部の軟体プレートで配線溝２が形成されて、ここが配線配管通風が可能な空間となる。４個の直方体１で配線溝２に面した上面に深さ該２ｍｍ、幅が該８ｍｍの蓋段差７を設けており、配線等が済んだ後で交差部蓋９を載せて生活上の床の表面が平らになるようにしている。蓋段差７において交差する部分の上に突起６が設けられており、交差部蓋９の穴１１と嵌合するようにしてある。又、４個の直方体で配線溝と対向する側の上部に接続ピン４を嵌合するための接続溝５が設けてある。このようにして構成された本実施例の二重床ユニットは一辺が該１２５ｍｍ、高さ該３３ｍｍと極めて小さいため、ユニット自体が床の不陸に追随し易い構造となっている。【０００６】  図２は本発明の直方体２個の底部を軟体プレートで接続した二重床ユニットの斜視図であり、直方体１は高さが該３３ｍｍ、幅が該４０ｍｍ、奥行きが該１２５ｍｍの直方体とし、材質はプラスチックで成形されている。プラスチックはポリプロピレンや塩化ビニールでよく、ウレタンでも可能である。直方体１は軽量化の為に内部を空洞にしてある。図２では直方体１を２個、該４０ｍｍ離して平行配置して、その底部を直方体１と同材質の軟体プレート８で隙間無く接続し一体化して二重床ユニットを構成している。軟体プレートの厚みは該１ｍｍであり、自由に変形可能であり床の不陸に追随できる。直方体１の側面と底部の軟体プレートで配線溝２が形成されて、ここが配線配管通風が可能な空間となる。２個の直方体１で配線溝２に面した上面に深さ該２ｍｍ、幅が該８ｍｍの蓋段差７を設けており、配線等が済んだ後で直線溝蓋１０を載せて生活上の床の表面が平らになるようにしている。蓋段差７において中央部分の上に突起６が設けられており、直線溝蓋１０の穴１１と嵌合するようにしてある。又、２個の直方体で配線溝と対向する側の上部に接続ピン４を嵌合するための接続溝５が２箇所設けてある。【０００７】  図３は、本発明の配線溝を持たない直方体ユニットの斜視図であり、直方体１は高さが該３３ｍｍ、幅が、奥行きが該１２５ｍｍの直方体とし、材質はプラスチックで成形されている。プラスチックはポリプロピレンや塩化ビニールでよく、ウレタンでも可能である。直方体１は軽量化の為に内部を空洞にしてある。直方体１の４辺の各辺上部に接続ピン４を嵌合するための接続溝５が２箇所設けてある。図４は、本発明の接続ピン４の斜視図であり、材質はポリプロピレンや塩化ビニールなどのプラスチックか、金属で形成されている。接続ピン４は四角で平らな上面と上面に接続して対向する２辺に��面と直行して２枚のツバを持った構造にしてあり、このツバが二重床ユニットの接続溝５に嵌合する形状となっている。図５は、本発明の交差部溝蓋の斜視図であり幅が該５４ｍｍで厚さが該２ｍｍの十字形状をなしている。材質は金属かプラスチックで作成してある。交差部溝蓋９の中央に４箇所の穴が開けられており、この穴が直方体４個を接続した二重床ユニットの蓋段差７の上の４個の突起６に嵌合する。図６は本発明の直線溝蓋の斜視図であり、幅が該５４ｍｍで厚さが該２ｍｍの十字形状をなしている。材質は金属かプラスチックで作成している。直線溝蓋９の中央に２箇所の穴が開けられており、この穴が直方体２個を接続した二重床ユニットの蓋段差７の上の２個の突起６に嵌合する。【０００８】  図７は、本発明の二重床ユニットと接続ピンと溝蓋の組み合わせ説明図である。４個の直方体１を軟体プレート８で隙間無く底部で接続一体化した二重床ユニットと２個の直方体１を軟体プレート８で隙間無く底部で接続一体化した二重床ユニットと溝無し直方体を相対向させ、各々の接続溝５に接続ピン４のツバ部を上面から差込み嵌合させることで配線溝２が連続して形成される。配線ケーブル１２を設置した後、配線溝２の上に跨ぐように交差部蓋９と直線溝蓋１０を載せて直方体の蓋段差７に嵌合させる、嵌合させる際に溝蓋の穴１１を蓋段差７の突起６に差込固定することで既存床の上に生活上の床を形成する。本発明の二重床構造は形状の異なる二重床ユニットを組み合わせることで配線量が多い場合にも対応できる。又、床暖房を行う場合は熱源に応じてその配管や通風空間を調整することが可能である。また、熱源は既存床から軟体プレート８によって隔離されており、熱の既存床への伝導が防止できる。軟体プレート８の上に断熱材を敷くことでその効果はさらに増大する。
【発明の効果】
【０００９】  本発明によれば、床面との接触音を低減できる。床面の不陸に対応できる。パネル敷きこみ後上から配線変更できる。配線量、配線数に応じて配線溝を調整できる。床と壁の接触する床周辺部でパネルの加工をすくなくできて経済的であり作業手間が少ない。熱線や温熱配管を設置する場合に既存床への熱伝道を少なく出来て熱効率が高く暖かい床暖房が可能である。温風を通すときも配線溝に隙間が無く、温風の漏れも無い。
【図面の簡単な説明】
【図１】  本発明の直方体４個の底部を軟体プレートで接続した二重床ユニットの斜視図。
【図２】  本発明の直方体２個の底部を軟体プレートで接続した二重床ユニットの斜視図。
【図３】  本発明の配線溝を持たない直方体ユニットの斜視図。
【図４】  本発明の接続ピンの斜視図。
【図５】  本発明の交差部溝蓋の斜視図。
【図６】  本発明の直線溝蓋の斜視図。
【図７】  本発明の二重床ユニットと接続ピンと溝蓋の組み合わせ説明図。
【図８】  従来技術の支持足による二重床パネルの斜視図。
【符号の説明】
１    直方体
２    配線溝
３    溝なし直方体
４    接続ピン
５    接続溝
６    突起
７    蓋段差
８    軟体プレート
９    交差部蓋
１０  直線溝蓋
１１  穴
１２  配線ケーブル
１３  支持足
１４  床プレート
【図１】
2005030177.tif 000003
【図２】
2005030177.tif 000004
【図３】
2005030177.tif 000005
【図４】
2005030177.tif 000006
【図５】
2005030177.tif 000007
【図６】
2005030177.tif 000008
【図７】
2005030177.tif 000009
【図８】
2005030177.tif 000010